(57)【要約】【課題】  放射線分野における画像処理装置では、ユーザーが検査画像単位で選択する場合は、ファイルの順序により予め取得する画像データの推定は可能であるが、一方検査情報単位で選択することができない。【解決手段】  選択状態とされた検査情報からみて前記特定の方向とは逆の方向に所定数以上離れた検査情報について前記放射線画像から生成された表示画像を削除する【選択図】  図１
2013215272.tif 000002
【特許請求の範囲】
【請求項１】
複数の放射線画像を関連付けられた検査情報を格納する記憶部にアクセスするアクセス手段と、
前記検査情報の少なくとも１つを選択状態とする選択手段と、
前記検査情報の選択状態を解除し非選択状態とする解除手段と、
前記選択状態とされた検査情報に関連付けられた放射線画像から生成された表示画像を表示部に表示させる表示制御手段と、
第一の検査情報の選択状態が解除され前記第一の検査情報からみて前記順序における特定の方向にある第二の検査情報が選択状態とされた場合に、前記選択状態とされた第二の検査情報からみて前記特定の方向とは逆の方向に所定数以上離れた検査情報について前記放射線画像から生成された表示画像を削除する削除手段と、
を有することを特徴とする放射線画像処理装置。
【請求項２】
前記選択状態とされた第二の検査情報から見て前記特定の方向とは逆の方向に所定数以内に離れた検査情報については、先頭の表示画像を含む複数の表示画像を作成する作成手段と、を有することを特徴とする請求項１に記載の放射線画像処理装置。
【請求項３】
先頭の表示画像を含む複数の画像とは、先頭の表示画像と第二の検査情報に関連付けられた複数の放射線静止画像の順序のうち最後尾から複数毎の放射線静止画像であることを特徴とする請求項１または２に記載の放射線画像処理装置。
【請求項４】
検査情報に関連付けられた複数の放射線静止画像のうち、該放射線静止画像に付与された順位が高い方から順に所定数の放射線静止画像についての表示画像を作成する作成手段と、を有することを特徴とする請求項１に記載の放射線画像処理装置。
【請求項５】
前記選択状態とされた第二の検査情報からみて前記順序が離れている数に応じて、検査情報ごとに作成する表示画像の数を作成する作成手段と、を有することを特徴とする請求項１に記載の放射線画像処理装置。
【請求項６】
前記作成手段により作成された表示画像を記憶する内部記憶部を更に有し、
前記内部記憶部の記憶容量に応じて表示画像を削除する削除数を作成する手段と、を有することを特徴とする放射線画像処理装置。
【請求項７】
前記記憶部に記憶された放射線画像の総数が特定の閾値を超えるか否かを判定する判定手段と、
前記特定の閾値を超えないと判定された場合には、前記表示画像の削除処理を制限する制限手段を更に有することを特徴とする請求項１乃至６のいずれか１項に記載の放射線画像処理装置。
【請求項８】
複数の放射線画像を関連付けられた検査情報を格納する記憶部にアクセスするステップと、
前記検査情報の少なくとも１つを選択状態とするステップと、
前記検査情報の選択状態を解除し非選択状態とするステップと、
前記選択状態とされた検査情報に関連付けられた放射線画像から生成された表示画像を表示部に表示させるステップと、
第一の検査情報の選択状態が解除され前記第一の検査情報からみて前記順序における特定の方向にある第二の検査情報が選択状態とされた場合に、前記選択状態とされた第二の検査情報からみて前記特定の方向とは逆の方向に所定数以上離れた検査情報について前記放射線画像から生成された表示画像を削除するステップと、
を有することを特徴とする放射線画像処理方法。
【請求項９】
複数の放射線画像を関連付けられた検査情報を格納する記憶部にアクセスする処理と、
前記検査情報の少なくとも１つを選択状態とする処理と、
前記検査情報の選択状態を解除し非選択状態とする処理と、
前記選択状態とされた検査情報に関連付けられた放射線画像から生成された表示画像を表示部に表示させる処理と、
第一の検査情報の選択状態が解除され前記第一の検査情報からみて前記順序における特定の方向にある第二の検査情報が選択状態とされた場合に、前記選択状態とされた第二の検査情報からみて前記特定の方向とは逆の方向に所定数以上離れた検査情報について前記放射線画像から生成された表示画像を削除する処理と、
をコンピュータに実行させることを特徴とするプログラム。
【発明の詳細な説明】
【技術分野】
【０００１】
本発明は、放射線画像の画像処理を行う放射線画像処理装置に関するものである。
【背景技術】
【０００２】
従来から放射線を用いた撮影は様々な分野で利用されており、特に医療分野においては、診断のための最も重要な手段の一つとなっている。また、近年では放射線撮影で得られる放射線像をデジタル化した画像データとして収集する撮像センサが実用化されており、一般分野におけるデジタルカメラ、デジタルビデオカメラと同様に放射線撮影分野におけるデジタル化が進んでいる。この放射線分野におけるデジタル化により、従来まではフイルムによって持ち運びされていた放射線画像も、光学ディスク、及びメモリカード等の外部記録媒体によって持ち運ばれるようになっている。
一方、外部記録媒体からのデータ取得は、ＨＤＤ等の記録装置からのデータ取得に比べてデータ取得時間が長くなる。この為、外部記録媒体に保存したデジタル静止画像、及び動画像を再生する画像処理装置では、予め画像データを内部記録装置へ取得しておくことで、ユーザー操作から所望の画像を表示するまでの時間を短縮している。また、予め取得する画像データは、外部記録媒体に保存したファイルの順序番号に対して数件先までのファイルとする手法があげられる。
【先行技術文献】
【特許文献】
【０００３】
【特許文献１】特開２００４−１１２７０８
【特許文献２】特開２００８−３０１５２２
【発明の概要】
【発明が解決しようとする課題】
【０００４】
放射線分野における画像処理装置では、ユーザーが検査画像単位で表示画像を検索する場合、ファイルの順序により予め取得する画像データの推定は可能である。しかしながら、検査情報単位で表示画像を検索する場合、ファイルの順序により予め取得する画像データの推定を行うことはでず、ユーザーは検査情報単位で表示画像検索を行う場合、表示画像が表示されるまで、表示処理を待つこととなる。
【課題を解決するための手段】
【０００５】
そこで実施形態に係る放射線画像処理装置は、複数の放射線静止画像を関連付けられた検査情報を格納する記憶部にアクセスするアクセス手段と、前記検査情報の少なくとも１つを選択状態とする選択手段と、前記検査情報の選択状態を解除し非選択状態とする解除手段と、前記選択状態とされた検査情報に関連付けられた放射線画像から生成された表示画像を表示部に表示させる表示制御手段と、第一の検査情報の選択状態が解除され前記第一の検査情報からみて前記順序における特定の方向にある第二の検査情報が選択状態とされた場合に、前記選択状態とされた第二の検査情報からみて前記特定の方向とは逆の方向に所定数以上離れた検査情報について前記放射線画像から生成された表示画像を削除する削除手段を有することを特徴とする。
【発明の効果】
【０００６】
上述の構成により、検査情報単位で表示画像検索を行った場合にも、放射線画像を確認する際に画像が表示されるまでの待ち時間を短縮することができる。
【図面の簡単な説明】
【０００７】
【図１】実施形態に係る放射線画像処理装置のＧＵＩを示す図である。
【図２】実施形態に係る放射線画像処理装置の構成図である。
【図３】実施形態に係る検査情報ファイルと検査画像ファイルと撮影手技配置領域のデータ構造を表した図である。
【図４】実施形態に係るメモリに含まれる放射線画像撮影の処理を行うプログラムと、及びプログラムが使用する検査情報のメモリ状態図である。
【図５】実施形態に係る検査選択画面のＧＵＩを示す図である。
【図６】実施形態に係る画像表示処理を示すフローチャートである。
【図７】実施形態に係る表示画像表示ステップＳ１０３の処理の詳細を示すフローチャートである。
【図８】実施形態に係る進行方向判定ステップＳ１０４の処理の詳細を示すフローチャートである。
【図９】実施形態に係る検査情報内表示画像作成ステップＳ１０６の処理の詳細を示すフローチャートである。
【図１０】実施形態に係る検査情報内表示画像削除ステップＳ１１３の処理の詳細を示すフローチャートである。
【図１１】実施形態に係る１つの検査情報を選択した場合の、表示画像の作成処理を示す図である。
【図１２】図１１よりユーザーが順方向に１つ進んだ検査情報を選択した場合の、表示画像作成状態図。
【図１３】図１２よりユーザーが逆方向に２つ進んだ検査情報を選択した場合の表示画像作成状態図。
【図１４】実施形態の１つに係る検査情報内の表示画像の削除処理であるステップＳ６１３の処理の詳細を示すフローチャートである。
【図１５】実施形態の１つに係る１つの検査情報を選択した場合の、表示画像の作成処理を示す図である。
【図１６】図１５よりユーザーが順方向に１つ進んだ検査情報を選択した場合の、表示画像の作成処理を示す図である。
【図１７】図１６よりユーザーが逆方向に２つ進んだ検査情報を選択した場合の表示画像の作成処理を示す図である。
【発明を実施するための形態】
【０００８】
以下、本発明を適用した好適な実施形態を、添付図面を参照しながら詳細に説明する。
【実施例１】
【０００９】
図１は放射線画像処理装置のＧＵＩの図である。１００は、放射線画像を参照する表示画面である。１１０は、検査情報に含まれる患者名、患者ＩＤなどを表示する患者情報表示領域である。１２０は、検査画像ボタン１２１を配置する検査画像ボタン配置領域である。１２１（ａ）は、非選択状態の検査画像ボタン１２１である。また、１２１（ｂ）は、選択状態の検査画像ボタン１２１である。検査画像ボタン１２１の選択状態は排他的であり、１つの検査ボタン１２１のみ選択状態となるように制御が行われる。排他的に選択状態となるような制御は、後述するＨＩＤ検知モジュール４１３により特定の検査ボタン１２１が選択されたことを検知すると、それまで選択状態であった検査ボタンの選択状態を解除し、代わりに検出された等該特定の検査ボタンを選択状態へと遷移させる。１３０は、前後の検査情報、及び前後の検査画像を選択する操作ボタンの配置、及び現在選択中の検査情報番号、及び現在選択中の検査画像番号を表示する操作パネルである。１３１は、次の検査画像を選択する操作を行う次画像選択ボタンである。また、検査画像ボタン１２１の最下位に配置された検査画像ボタン１２１が選択された状態で次画像選択ボタン１３１を押下すると、次の検査情報の最上位に配置された検査画像ボタン１２１が選択状態となる。１３２は、１つ前の検査画像を選択する操作を行う前画像選択ボタンである。また、検査画像ボタン１２１の最上位の検査画像が選択された状態で前画像選択ボタン１３２を押下すると、１つ前の検査情報の最下位に配置された検査画像ボタン１２１が選択状態となる。１３３は、次の検査情報を選択する操作を行う次検査選択ボタンである。また、次検査選択ボタン１３３を押下すると、次の検査情報の最上位に配置された検査画像ボタン１２１が選択状態となる。１３４は、１つ前の検査情報を選択する前検査選択ボタンである。また、前検査情報選択ボタン１３４を押下すると、前の検査情報の最上位に配置された検査画像ボタン１２１が選択状態となる。１４０は、表示画面１００の表示を終了する戻るボタンである。１５０は、選択中の検査画像を表示する画像表示領域である。これら表示画面１００のＧＵＩを構成する画像は全てメモリ２０４内に記憶され、後述する表示制御モジュール４１４により表示画面１００として表示される。表示画面１００に配置された上述の各ボタンは、ＨＩＤ検知モジュール４１３によりＨＩＤ２０３を介して選択されたことを検知される。検知をトリガとして、上述の機能を発揮するように後述する表示制御モジュール４１４、外部記憶読み取りモジュール４１５、表示画像作成モジュール４１６、表示画像削除モジュール４１７、検査リスト記憶モジュール４１８が動作する。
【００１０】
図２は、本発明の第１の実施形態における、放射線画像処理システムの構成を表す構成図である。放射線画像処理装置２００は、ＣＰＵ２０１、ディスプレイ２０２、ＨＩＤ（Ｈｕｍａｎ  Ｉｎｔｅｒｆａｃｅ  Ｄｅｖｉｃｅ）２０３、メモリ２０４、外部記録媒体読み取り部２０５で構成されている。外部記録媒体２１０は、検査情報ファイル２１１、検査画像ファイル２１２を記録する記録媒体である。また、検査画像ファイル２１２は、外部記録媒体２１２に複数個記録されている。ユーザーは、参照したい検査情報、及び検査画像を記録した外部記録媒体２１０を外部記録媒体読み取り部２０５へセットする。
【００１１】
図３は、検査情報ファイル２１１と検査画像ファイル２１２のデータ構造を表した図である。検査情報リスト３１０は、検査情報３２０をリスト管理したものである。検査情報３２０は、患者情報３２１、検査画像リスト３２２で構成される。患者情報３２１は、患者名、患者ＩＤ，生年月日等を記録したものである。検査画像リスト３２２は、検査画像ファイル２１２の格納先をリスト管理したものである。検査画像ファイル２１２は、画像情報３３０、画像データ３３１で構成される。画像情報３３０は、放射線撮影を行った照射部位、放射線量、照射時間等を記録したものである。
【００１２】
図４は、メモリ２０４に含まれる放射線画像撮影２００の処理を行うコンピュータが実行するためのプログラム４１０、及びプログラム４１０が使用する検査情報記憶場所のメモリ状態を表した図である。プログラム４１０は、検査選択画面５００、検査表示画面１００、ＨＩＤ検知モジュール４１３、表示制御モジュール４１４、外部記録読取モジュール４１５、表示画像作成モジュール４１６、表示画像削除モジュール４１７、検査リスト記憶モジュール４１８で構成されている。検査リスト記憶部４２０は、検査情報４３０のメモリ配置場所を示す検査情報アドレス４２１をリスト状態にて記憶する記憶領域である。検査情報４３０は、患者情報４３１、及び検査画像４４０のメモリ配置場所を示す検査画像アドレス４３２をリスト状態にて記憶する記憶領域である。患者情報４３１は、外部記録媒体２１０より取得した患者情報３２１を記憶する記憶領域である。検査画像４４０は、画像情報４４１、検査画像ファイル情報４４２、表示画像アドレス４４３で構成されている。画像情報４４１は、外部記録媒体２１０より取得した画像情報３３０を記憶する記憶領域である。検査画像ファイル４４２は、外部記録媒体２１０に格納している検査画像ファイル２１２の配置先を記憶する記憶領域である。表示画像アドレス４４３は、表示画像４５０のメモリ配置場所を記憶する記憶領域である。表示画像４５０は、ＣＰＵ２０１が表示制御モジュール４１５を使用してディスプレイ２０２へ表示する画像である。
【００１３】
ＣＰＵ２０１は、ＨＩＤ検知モジュール４１３を使用してユーザーによるＨＩＤ２０３の操作を検知する。ＣＰＵ２０１は、表示制御モジュール４１４を使用してディスプレイ２０２に表示する画面を制御する。ＣＰＵ２０１は、外部記録読み取りモジュール４１６を使用して、外部記録媒体読み取り部２０５にセットした外部記録媒体２１０へアクセスし、データを取得する。ＣＰＵ２０１は、取得したデータを検査リスト記憶モジュール４１８を使用してメモリ２０４へ記憶する。ＣＰＵ２０１は、表示画像作成モジュール４１６を使用して画像データ３３１から表示画像４５０を作成する。このようにして、選択状態とされた検査情報に関連付けられた放射線画像から作成された表示画像を、表示制御モジュール４１４が表示部に表示させる。ＣＰＵ２０１は、表示画像削除モジュール４１７を使用して表示画像４５０を削除する。特に表示画像削除モジュール４１７は、第一の検査情報の選択状態が解除され第一の検査情報からみて順序における特定の方向にある第二の検査情報が選択状態とされた場合に、選択状態とされた第二の検査情報からみて特定の方向とは逆の方向に所定数以上離れた検査情報について放射線画像から生成された表示画像を削除する。これは、検査の選択がリストの表示順に行われる場合に適用して公的な物である。このようにすることで、選択される可能性が低いと思われる検査について表示画像を削除することで、メモリへの負荷を低減することができる。
【００１４】
図５は、検査選択画面５００を表した図である。５１０は、外部記録媒体選択ボタンである。５２０は、外部記録媒体名表示部である。５３０は、検査情報一覧表示部である。検査情報一覧表示部５３０に表示された検査情報は、互いに排他的でありユーザーは１つの検査情報のみを選択することが可能である。５４０は、検査表示画面１００を表示する表示ボタンである。５５０は、放射線画像処理装置を終了する終了ボタンである。
【００１５】
ユーザーは、外部記録媒体選択ボタン５１０を選択するとＣＰＵ２０１は図示しない外部記録媒体選択画面を表示する。ユーザーは、検査情報の読み込みを所望する外部記録媒体２１０を外部記録媒体選択画面にて選択する。ＣＰＵ２０１は、外部記録読取モジュール４１５を使用して、外部記録媒体読み取り部２０５にセットした外部記録媒体２１０へアクセスし、検査情報ファイル２１１より検査情報リスト３１０、検査情報３２０を取得する。ＣＰＵ２０１は、取得した情報を検査リスト記憶モジュール４１８を使用して、検査情報リスト３１０、検査情報３２０に含まれる情報をメモリ２０４へ記憶する。同時に、ＣＰＵ２０１は、外部記録読取モジュール４１５を使用して、外部記録媒体読み取り部２０５にセットした外部記録媒体２１０へアクセスし、検査画像ファイル２１２の画像データ３３１以外の情報を取得する。ＣＰＵ２０１は、取得した情報を検査リスト記憶モジュール４１８を使用して、画像情報３３０、及び検査画像ファイル２１２の配置場所をメモリ２０４へ記憶する。ＣＰＵ２０１は、表示制御モジュール４１４を使用して、検査情報一覧５３０へメモリ２０４にて記憶した検査情報を表示する。ユーザーは、検査情報一覧５３０、及び検査画像ボタン配置領域１２０より画像表示を所望する検査情報４３０、及び検査画像４４０を選択する。ＣＰＵ２０１は、表示制御モジュール４１４を使用して検査情報一覧５３０にて選択状態となっている検査情報４３０がもつ患者情報４３１を患者情報表示領域１１０に表示する。また、ＣＰＵ２０１は、選択状態となっている検査情報４３０がもつ検査画像４４０に対応した検査画像ボタン１２１を検査画像ボタン配置領域１２０に表示する。また、ＣＰＵ２０１は、ユーザーが選択した外部記録媒体の名前を会部記録媒体名表示部５２０へ表示する。ユーザーは、表示ボタン５４０を押下すると、ＣＰＵ２０１は、表示画面１００を表示する。
【００１６】
第１の実施形態における、放射線画像処理装置の画像表示フローを図６に示すフローチャートに基づいて説明する。初めに、ＣＰＵ２０１はステップＳ１０１において、ＨＩＤ検知モジュール４１４を使用して、ユーザーがＨＩＤ２０３より検査画像を選択したことを検知する。次に、ＣＰＵ２０１はステップＳ１０２において、ユーザーが選択した検査画像を持つ検査情報Ｉｎｄｅｘ、及び検査画像Ｉｎｄｅｘを判定する。次に、ＣＰＵ２０１はステップＳ１０３において、表示制御モジュール４１４を使用して画像表示領域１５０へ表示画像４５０を表示する。次に、ＣＰＵ２０１はステップＳ１０４において、ユーザーが選択した検査情報の進行方向の判定を行う。次に、ＣＰＵ２０１は、ステップＳ１０５において、ＨＩＤ検知モジュール４１４を使用して、前回の検査選択検知からステップＳ１０５までにユーザーがＨＩＤ２０３より再度検査選択操作を行っていたかを検知する。ユーザーが再度検査選択操作を行っていたことを検知した場合、ステップＳ１０２の処理を行う。次に、ＣＰＵ２０１は、ステップＳ１０６において、現在のＩｎｄｅｘの検査情報が持つ全ての検査画像に対して表示画像の作成を行う。次に、ＣＰＵ２０１は、ステップＳ１０７において、現在の検査情報Ｉｎｄｅｘの進行方向が順方向の場合は、検査情報Ｉｎｄｅｘのインクリメントを行い、進行方向が逆方向の場合は、検査情報Ｉｎｄｅｘのデクリメントを行う。次に、ＣＰＵ２０１は、ステップＳ１０８において、検査リスト記憶モジュール４１８を使用して、現在の検査情報Ｉｎｄｅｘの検査情報アドレス４２１が検査リスト記憶部４２０に記憶されているか確認を行う。現在の検査情報Ｉｎｄｅｘの検査情報アドレス４２１が記憶されていない場合は、ステップＳ１１０の処理を行う。次に、ＣＰＵ２０１は、ステップＳ１０８において、現在の検査情報Ｉｎｄｅｘがユーザーが選択した検査情報Ｉｎｄｅｘより、４つ離れたＩｎｄｅｘであるか確認を行う。４つ離れたＩｎｄｅｘでない場合、ステップＳ１０５の処理を行う。次に、ＣＰＵ１０９は、ステップＳ１０９において、現在の検査情報Ｉｎｄｅｘをユーザーが選択した検査情報Ｉｎｄｅｘへリセットし、さらに進行方向が順方向の場合は、検査情報Ｉｎｄｅｘのデクリメントを行う。進行方向が逆方向の場合は、検査情報Ｉｎｄｅｘのインクリメントを行う。次に、ＣＰＵ１０９は、ステップＳ１１０において、ＨＩＤ検知モジュール４１４を使用して、前回の検査選択検知からステップＳ１１０までの間、ユーザーがＨＩＤ２０３より再度検査選択操作を行っていたか検知を行う。再度検査選択操作を行っていた場合、ステップＳ１０２の処理を行う。次に、ＣＰＵ２０１は、ステップＳ１１１において、検査リスト記憶モジュール４１８を使用し、現在の検査情報Ｉｎｄｅｘの検査情報アドレス４２１が検査リスト記憶部４２０に記憶されているか確認を行う。現在の検査情報Ｉｎｄｅｘの検査情報アドレス４２１を記憶していない場合は、ステップＳ１０１の処理を行う。次に、ＣＰＵ２０１は、ステップＳ１１２において、現在の検査情報Ｉｎｄｅｘがユーザーが選択した検査情報Ｉｎｄｅｘより、４つ離れたＩｎｄｅｘであるか確認を行う。４つ離れたＩｎｄｅｘである場合、ステップＳ１１５の処理を行う。次に、ＣＰＵ２０１は、ステップＳ１１３において、現在の検査情報Ｉｎｄｅｘの検査情報が持つ表示画像の削除を行う。次に、ＣＰＵ２０１は、ステップＳ１１４において、現在の検査情報Ｉｎｄｅｘを進行方向が順方向の場合は、検査情報Ｉｎｄｅｘのデクリメントを行う。進行方向が逆方向の場合は、検査情報Ｉｎｄｅｘのインクリメントを行う。ＣＰＵ２０１は、ステップＳ１１５において、現在の検査情報Ｉｎｄｅｘの検査情報の持つ表示画像をすべて削除する。
【００１７】
表示画像表示ステップＳ１０３のフローを図７に基づいて説明する。初めに、ＣＰＵ２０１は、ステップＳ２０１において、検査リスト記憶モジュール４１８を使用して、現在のＩｎｄｅｘの表示画像４５０が作成済みであるか確認する。表示画像４５０が作成済みである場合、ステップＳ２０３の処理を行う。次に、ＣＰＵ２０１は、ステップＳ２０２において、外部記録読取モジュール４１５を使用して、検査画像ファイル情報４４２に記憶した配置場所にある検査画像ファイル２１２より検査画像データ３３１を取得する。次に、ＣＰＵ２０１は、表示画像作成モジュール４１６を使用して、取得した検査画像データ３３１から表示画像４５０を作成する。次に、ＣＰＵ２０１は作成した表示画像４５０を検査リスト記憶モジュール４１８を使用してメモリ２０４へ記憶する。次に、ＣＰＵ２０１は、ステップＳ２０３において、現在の検査画像Ｉｎｄｅｘの表示画像４５０を検査リスト記憶モジュール４１８を使用して取得する。次に、ＣＰＵ２０１は、表示制御モジュール４１５を使用して取得した検査画像４５０を画像表示領域１５０に表示する。
【００１８】
進行方向判定ステップＳ１０４のフローを図８に基づいて説明する。初めに、ＣＰＵ２０１は、ステップＳ３０１において、前回ユーザーが選択した検査情報の進行方向と今回ユーザーが選択した検査情報の進行方向が一致しているか確認する。進行方向が一致している場合、ＣＰＵ２０１は、ステップＳ３０２において、進行方向を今回ユーザーが選択した検査情報の進行方向として判定する。進行方向が一致していない場合、ＣＰＵ２０１は、ステップＳ３０３において、進行方向を前回ユーザーが選択した検査情報の進行方向として判定する。
【００１９】
検査情報内表示画像作成ステップＳ１０６のフローを図９に基づいて説明する。初めに、ＣＰＵ２０１は、ステップＳ４０１において、検査画像Ｉｎｄｅｘを０にリセットする。次に、ＣＰＵ２０１は、ステップＳ４０２において、検査リスト記憶モジュール４１８を使用して、現在のＩｎｄｅｘの表示画像４５０が作成済みであるか確認する。表示画像４５０が作成済みである場合、ステップＳ４０４の処理を行う。次に、ＣＰＵ２０１は、ステップＳ４０３において、外部記録読取モジュール４１５より現在の検査画像Ｉｎｄｅｘに該当する検査画像データ３３１を取得する。次に、ＣＰＵ２０１は、表示画像作成モジュール４１６を使用して、取得した検査画像データ３３１から表示画像４５０を作成する。次に、ＣＰＵ２０１は作成した表示画像４５０を検査リスト記憶モジュール４１８を使用してメモリ２０４へ記憶する。次に、ＣＰＵ２０１は、ステップＳ４０４において、検査画像Ｉｎｄｅｘのインクリメントを行う。次に、ＣＰＵ２０１はステップＳ４０５において、検査リスト記憶モジュールを使用して、現在のＩｎｄｅｘの検査画像アドレス４３２が検査情報４３１に記憶されているか確認を行う。現在のＩｎｄｅｘの検査画像アドレス４３２が記憶されている場合は、ステップＳ４０２の処理を行う。
【００２０】
検査情報内表示画像削除ステップＳ１１３のフローを図１０に基づいて説明する。初めに、ＣＰＵ２０１は、ステップＳ５０１において、検査画像Ｉｎｄｅｘを０にリセットする。次に、ＣＰＵ２０１は、ステップＳ５０２において、検査リスト記憶モジュール４１８を使用して、現在のＩｎｄｅｘの検査画像アドレス４３２は、検査情報４３１に含まれる検査画像アドレス４３１の中で、先頭の検査画像アドレス４３１であるか（Ｉｎｄｅｘが０であるか）確認を行う。先頭の検査画像アドレス４３１である場合、ステップＳ５０４の処理を行う。
【００２１】
ＣＰＵ２０１は、ステップＳ５０４において、検査リスト記憶モジュール４１８を使用して、現在の検査画像Ｉｎｄｅｘの表示画像４５０が作成済みであるか確認する。表示画像４５０が作成済みでない場合、ステップＳ５０５の処理を行う。ＣＰＵ２０１は、ステップＳ５０５において、外部記録読取モジュール４１５より外部記録媒体２１０へアクセスし、現在の検査画像Ｉｎｄｅｘに該当する検査画像データ３３１を取得する。次に、ＣＰＵ２０１は、表示画像作成モジュール４１６を使用して、取得した検査画像データ３３１から表示画像４５０を作成する。次に、ＣＰＵ２０１は作成した表示画像４５０を検査リスト記憶モジュール４１８を使用してメモリ２０４へ記憶する。ＣＰＵ２０１は、ステップＳ５０３において、検査リスト記憶モジュール４１８を使用して、現在の検査画像Ｉｎｄｅｘの表示画像４５０が作成済みであるか確認する。表示画像４５０が作成済みである場合、ステップＳ５０６の処理を行う。ＣＰＵ２０１は、ステップＳ５０６において、検査リスト記憶モジュール４１８と表示画像削除モジュール４１８を使用して、現在の検査画像Ｉｎｄｅｘの表示画像４５０を削除する。次に、ＣＰＵ２０１は、ステップＳ５０７において、検査画像Ｉｎｄｅｘをインクリメントを行う。次に、ＣＰＵ２０１はステップＳ５０８において、検査リスト記憶モジュール４１８を使用して、現在のＩｎｄｅｘの検査画像アドレス４３２が検査情報４３１に記憶されているか。検査画像アドレス４３２が記憶されている場合は、ステップＳ５０２の処理を行う。
【００２２】
図１１は、検査情報Ｉｎｄｅｘが０００７の検査情報が選択状態であり、さらに選択方向が順方向である場合の表示画像作成状態を表した図である。選択状態である検査情報、及び選択状態である検査情報より順方向に３つ進んだ検査情報Ｉｎｄｅｘをもつ検査情報までの表示画像が作成済みとなっている。また、選択状態の検査情報より逆方向に３つ進んだ検査情報Ｉｎｄｅｘを持つ検査情報については、先頭の検査画像の表示画像が作成済みとなっている。
【００２３】
図１２は、図１１の表示画像作成状態より順方向に１つ進んだ検査情報が選択状態となった場合の表示画像作成状態を表した図である。選択状態の検査情報Ｉｎｄｅｘが０００８となり、検査情報Ｉｎｄｅｘが０００４の表示画像が全て削除され、検査情報Ｉｎｄｅｘが０００７の先頭以外の表示画像が削除されている。さらに、検査情報Ｉｎｄｅｘが００１１の検査情報については、全ての検査画像に対する表示画像が作成済みとなっている。
【００２４】
図１３は、図１２の表示画像作成状態より逆方向に２つ進んだ検査情報が選択状態となった場合の表示画像作成状態を表した図である。選択状態の検査情報Ｉｎｄｅｘが０００６となり、進行方向が逆方向に変更されている。また、選択状態の検査情報、及び選択状態の検査情報より逆方向に３つ進んだ検査情報Ｉｎｄｅｘまでの検査情報がもつ全ての検査画像に対する表示画像が作成済みとなっている。また、選択状態の検査情報より順方向に３つ進んだ検査情報Ｉｎｄｅｘを持つ検査画像のうち、先頭の検査画像に対する表示画像が作成済みとなっており、先頭以外の検査画像に対する表示画像が削除されている。
【００２５】
以上、ユーザーが表示された検査画像を確認している間、予め前後の検査情報の持つ検査画像に対する表示画像を作成することで、次にユーザーが選択する検査画像を素早く画面に表示することが可能となる。従って、ユーザーが検査情報の選択を行った後、検査画像に対する表示画像の作成を待つことのない放射線画像処理装置を提供することが可能となる。
【００２６】
その他の実施形態の１つでは、ユーザーが検査画像ボタン１２１の最上位の検査画像が選択された状態で前画像選択ボタン１３２した場合に、予め表示画像を作成しておくことで表示画像の表示を素早く行う。
【００２７】
この場合の検査情報内表示画像削除ステップＳ６１３のフローを図１４に基づいて説明する。ＣＰＵ２０１は、ステップＳ６０９において、検査リスト記憶モジュール４１８を使用して、現在の検査画像Ｉｎｄｅｘに対応した検査画像アドレス４３２が最後から５つ以内の検査画像アドレス４３２であるか確認を行う。最後から５つ以内の検査画像アドレス４３２である場合、Ｓ５０４の処理を行う。
【００２８】
図１５は、検査情報Ｉｎｄｅｘが０００７の検査情報が選択状態であり、選択方向が順方向である場合の表示画像作成状態を表した図である。選択状態の検査情報より逆方向に３つ進んだ検査情報Ｉｎｄｅｘまでの検査情報が持つ検査画像のうち、先頭の検査画像に対する表示画像と検査画像リストより最後から５枚分の表示画像が作成済みとなっている。
【００２９】
図１６は、図１５の表示画像作成状態より順方向に１つ進んだ検査情報が選択状態となった場合の表示画像作成状態を表した図である。検査情報Ｉｎｄｅｘが０００７の先頭の検査画像、及び検査画像リストより最後から５枚以内の表示画像以外の表示画像が削除されている。
【００３０】
図１７は、図１６の表示画像作成状態より逆方向に２つ進んだ検査情報が選択状態となった場合の表示画像作成状態を表した図である。選択状態の検査情報より順方向に３つ進んだ検査情報Ｉｎｄｅｘまでの検査情報の持つ検査画像のうち、先頭の検査画像に対する表示画像、及び検査画像リストより最後から５枚分の表示画像が作成済みとなっている。
【００３１】
以上のようにその他の実施形態の１つに係る放射線画像処理装置は、選択状態の逆方向の検査情報については、検査情報の持つ検査画像のうち最後の５枚分の検査画像に対する表示画像を作成するフローを追加している。この為、第１の実施形態で得られる効果に加えて、ユーザーが検査情報をまたいで前検査画像選択ボタン押下した場合においても検査画像を素早く画面に表示することが可能となる。
【００３２】
以上、本発明の好ましい実施例について説明したが、本発明はこれらの実施例に限定されないことはいうまでもなく、その要旨の範囲内で種々の変形及び変更が可能である。
【００３３】
変形の一例として、表示画像削除モジュール４１６は、検査リスト記憶部４２０から検査情報の全数と、検査情報に関連付けられた画像の総数を取得し、画像の総数が特定の閾値を超えるか否かを判定するサブモジュールを有する。また、かかる判定サブモジュールによる判定結果に応じて、表示画像削除モジュール４１６による削除処理を制限する制限サブモジュールを更に有する。かかる判定処理モジュールにより、外部記憶媒体２１０に記憶された全検査情報についての画像の総数が特定の閾値を超えないと判定された場合には、制限サブモジュールにより表示画像の削除処理を行わせないように制御する。このようにしても、放射線画像の総数がそれほど多くない場合には、表示画像を全ての放射線画像について作成したままにしておいてもそれほどメモリの圧迫にはならないと考えられる。また返って削除処理を行わないことにより、表示画像削除モジュール４１６による削除処理をＣＰＵ２０１に行わせる必要がなくなるため、ＣＰＵ２０１の負荷を削減することができる。かかる特定の閾値は、ＣＰＵ２０１の処理能力、放射線画像処理装置２００の内部記億部であり、作成された表示画像を記憶するメモリ２０４の容量の少なくともいずれかに基づいて設定することができる。あるいは、ユーザがＨＩＤ２０３を介して数値を設定することができるようにしてもよい。
【符号の説明】
【００３４】
２００  放射線画像処理装置
２１０  外部記録媒体
４１７  表示画像作成モジュール
４１８  表示画像削除モジュール
４２０  検査リスト記憶部
４３０  検査情報
４４０  検査画像
４５０  表示画像
【図１】
2013215272.tif 000003
【図２】
2013215272.tif 000004
【図３】
2013215272.tif 000005
【図４】
2013215272.tif 000006
【図５】
2013215272.tif 000007
【図６】
2013215272.tif 000008
【図７】
2013215272.tif 000009
【図８】
2013215272.tif 000010
【図９】
2013215272.tif 000011
【図１０】
2013215272.tif 000012
【図１１】
2013215272.tif 000013
【図１２】
2013215272.tif 000014
【図１３】
2013215272.tif 000015
【図１４】
2013215272.tif 000016
【図１５】
2013215272.tif 000017
【図１６】
2013215272.tif 000018
【図１７】
2013215272.tif 000019